(57)【要約】      （修正有）【課題】ｃｏｏｋｉｅやリファラなどの手段を用いずに、ユーザの行動分析等に用いることができるＷｅｂサーバへのアクセスログの記録を可能にすることによって、携帯電話機等からのアクセスにも対応が可能なアクセスログ記録システムを提供する。【解決手段】コンテンツファイルに含まれるリンクタグ及びフォームタグに、セッション毎に付与されるセッションＩＤと、リクエストを受けたＵＲＬを埋め込むことによって、リンク等の選択によるトラッキングをセッション単位で把握する。コンテンツファイルにログ集計サーバ２０にある無色透明のイメージファイルを呼び出すイメージタグを付加し、イメージタグにセッションＩＤとリクエストを受けたＵＲＬを埋め込むことによって、アクセス情報をログ集計サーバ２０に転送することもできる。【選択図】図１
2011008796.tif 000002
【特許請求の範囲】
【請求項１】
携帯端末からネットワークを通じてＷｅｂサーバへアクセスしたアクセスログを記録するためのアクセスログ記録サーバであって、
リンクタグ又はフォームタグを含むことが可能な携帯端末の画面に所定のページを表示するためコンテンツファイルを格納するコンテンツファイル格納手段と、
前記携帯端末から、コンテンツファイルを指定したリクエストを受け付けるコンテンツリクエスト受付手段と、
前記コンテンツリクエスト受付手段がリクエストを受け付けると、前記リクエストに、前記携帯端末と前記Ｗｅｂサーバとのセッションを特定するセッションＩＤが付されているかを確認し、セッションＩＤが付されていない場合には、新たなセッションＩＤを発行するＩＤ発行手段と、
前記コンテンツリクエスト受付手段が受け付けたリクエストに指定されたコンテンツファイルを前記コンテンツファイル格納手段から読み出して、前記コンテンツファイルにリンクタグ又はフォームタグが含まれているかを確認し、リンクタグ又はフォームタグが含まれている場合には、前記コンテンツファイルに含まれる全てのリンクタグ及びフォームタグに、前記リクエストに付されたセッションＩＤ又は前記ＩＤ発行手段の発行したセッションＩＤを埋め込んだ、前記携帯端末への送信用のコンテンツファイルを作成する送信用ファイル作成手段と、
前記送信用ファイル作成手段が作成したコンテンツファイルを、前記携帯端末に送信するコンテンツファイル送信手段と、
携帯端末からネットワークを通じてＷｅｂサーバへアクセスしたアクセスログを、セッションＩＤ毎に格納するアクセスログ格納手段と、
前記アクセスログ格納手段の、前記リクエストに付されたセッションＩＤ又は前記ＩＤ発行手段の発行したセッションＩＤに対応するアクセスログに、前記コンテンツファイルのアドレス情報を新たなアクセスログとして記録するアクセスログ記録手段と、
を備えることを特徴とするアクセスログ記録サーバ。
【請求項２】
携帯端末からネットワークを通じてコンテンツサーバへアクセスしたアクセスログを、ログ集計サーバに記録するためのアクセスログ記録システムであって、
前記コンテンツサーバには、
リンクタグ又はフォームタグを含むことが可能な携帯端末の画面に所定のページを表示するためコンテンツファイルを格納するコンテンツファイル格納手段と、
前記携帯端末から、コンテンツファイルを指定したリクエストを受け付けるコンテンツリクエスト受付手段と、
前記コンテンツリクエスト受付手段がリクエストを受け付けると、前記リクエストに、前記携帯端末と前記コンテンツサーバとのセッションを特定するセッションＩＤが付されているかを確認し、セッションＩＤが付されていない場合には、新たなセッションＩＤを発行するＩＤ発行手段と、
前記コンテンツリクエスト受付手段が受け付けたリクエストに指定されたコンテンツファイルを前記コンテンツファイル格納手段から読み出して、前記コンテンツファイルにリンクタグ又はフォームタグが含まれているかを確認し、リンクタグ又はフォームタグが含まれている場合には、前記コンテンツファイルに含まれる全てのリンクタグ及びフォームタグに、前記リクエストに付されたセッションＩＤ又は前記ＩＤ発行手段の発行したセッションＩＤを埋め込むとともに、前記リクエストに付されたセッションＩＤ又は前記ＩＤ発行手段の発行したセッションＩＤと前記コンテンツファイルのアドレス情報とが埋め込まれた、前記ログ集計サーバに格納されたイメージファイルをリクエストするイメージタグを前記コンテンツファイルに付加して、前記携帯端末への送信用のコンテンツファイルを作成する送信用ファイル作成手段と、
前記送信用ファイル作成手段が作成したコンテンツファイルを、前記携帯端末に送信するコンテンツファイル送信手段と、
を備えていて、前記ログ集計サーバには、
携帯端末からネットワークを通じてコンテンツサーバへアクセスしたアクセスログを、セッションＩＤ毎に格納するアクセスログ格納手段と、
前記コンテンツファイル送信手段の送信したコンテンツファイルを受信した携帯端末から、前記イメージタグに埋め込まれたセッションＩＤとアドレス情報が付された、前記イメージファイルのリクエストを受け付けるイメージリクエスト受付手段と、
前記リクエストに付された前記セッションＩＤと前記アドレス情報を取得して、前記アクセスログ格納手段の前記セッションＩＤに対応するアクセスログに、前記アドレス情報を新たなアクセスログとして記録するアクセスログ記録手段と、
前記リクエストに指定されたイメージファイルを、前記携帯端末に送信するイメージファイル送信手段と、
を備えることを特徴とするアクセスログ記録システム。
【請求項３】
携帯端末からネットワークを通じてＷｅｂサーバへアクセスしたアクセスログを記録するためのアクセスログ記録方法であって、
前記Ｗｅｂサーバは、リンクタグ又はフォームタグを含むことが可能な携帯端末の画面に所定のページを表示するためコンテンツファイルを格納するコンテンツファイル格納部と、携帯端末からネットワークを通じてＷｅｂサーバへアクセスしたアクセスログを、セッションＩＤ毎に格納するアクセスログ格納部とを備えていて、
前記Ｗｅｂサーバが、前記携帯端末から、コンテンツファイルを指定したリクエストを受け付けるコンテンツリクエスト受付ステップと、
前記Ｗｅｂサーバが、前記コンテンツリクエスト受付ステップでリクエストを受け付けると、前記リクエストに、前記携帯端末と前記Ｗｅｂサーバとのセッションを特定するセッションＩＤが付されているかを確認し、セッションＩＤが付されていない場合には、新たなセッションＩＤを発行するＩＤ発行ステップと、
前記Ｗｅｂサーバが、前記コンテンツリクエスト受付ステップで受け付けたリクエストに指定されたコンテンツファイルを前記コンテンツファイル格納部から読み出して、前記コンテンツファイルにリンクタグ又はフォームタグが含まれているかを確認し、リンクタグ又はフォームタグが含まれている場合には、前記コンテンツファイルに含まれる全てのリンクタグ及びフォームタグに、前記リクエストに付されたセッションＩＤ又は前記ＩＤ発行ステップで発行したセッションＩＤを埋め込んだ、前記携帯端末への送信用のコンテンツファイルを作成する送信用ファイル作成ステップと、
前記Ｗｅｂサーバが、前記送信用ファイル作成ステップで作成したコンテンツファイルを、前記携帯端末に送信するコンテンツファイル送信ステップと、
前記Ｗｅｂサーバが、前記アクセスログ格納部の、前記リクエストに付されたセッションＩＤ又は前記ＩＤ発行ステップで発行したセッションＩＤに対応するアクセスログに、前記コンテンツファイルのアドレス情報を新たなアクセスログとして記録するアクセスログ記録ステップと、
を有することを特徴とするアクセスログ記録方法。
【請求項４】
携帯端末からネットワークを通じてコンテンツサーバへアクセスしたアクセスログを、ログ集計サーバに記録するためのアクセスログ記録方法であって、
前記コンテンツサーバは、リンクタグ又はフォームタグを含むことが可能な携帯端末の画面に所定のページを表示するためコンテンツファイルを格納するコンテンツファイル格納部を備え、
前記コンテンツサーバが、前記携帯端末から、コンテンツファイルを指定したリクエストを受け付けるコンテンツリクエスト受付ステップと、
前記コンテンツサーバが、前記コンテンツリクエスト受付ステップでリクエストを受け付けると、前記リクエストに、前記携帯端末と前記コンテンツサーバとのセッションを特定するセッションＩＤが付されているかを確認し、セッションＩＤが付されていない場合には、新たなセッションＩＤを発行するＩＤ発行ステップと、
前記コンテンツサーバが、前記コンテンツリクエスト受付ステップで受け付けたリクエストに指定されたコンテンツファイルを前記コンテンツファイル格納部から読み出して、前記コンテンツファイルにリンクタグ又はフォームタグが含まれているかを確認し、リンクタグ又はフォームタグが含まれている場合には、前記コンテンツファイルに含まれる全てのリンクタグ及びフォームタグに、前記リクエストに付されたセッションＩＤ又は前記ＩＤ発行ステップで発行したセッションＩＤを埋め込むとともに、前記リクエストに付されたセッションＩＤ又は前記ＩＤ発行ステップで発行したセッションＩＤと前記コンテンツファイルのアドレス情報とが埋め込まれた、前記ログ集計サーバに格納されたイメージファイルをリクエストするイメージタグを前記コンテンツファイルに付加して、前記携帯端末への送信用のコンテンツファイルを作成する送信用ファイル作成ステップと、
前記コンテンツサーバが、前記送信用ファイル作成ステップで作成したコンテンツファイルを、前記携帯端末に送信するコンテンツファイル送信ステップと、
を有していて、
前記ログ集計サーバは、携帯端末からネットワークを通じてコンテンツサーバへアクセスしたアクセスログを、セッションＩＤ毎に格納するアクセスログ格納部を備え、
前記ログ集計サーバが、前記コンテンツファイル送信ステップで送信したコンテンツファイルを受信した携帯端末から、前記イメージタグに埋め込まれたセッションＩＤとアドレス情報が付された、前記イメージファイルのリクエストを受け付けるイメージリクエスト受付ステップと、
前記ログ集計サーバが、前記リクエストに付された前記セッションＩＤと前記アドレス情報を取得して、前記アクセスログ格納部の前記セッションＩＤに対応するアクセスログに、前記アドレス情報を新たなアクセスログとして記録するアクセスログ記録ステップと、
前記ログ集計サーバが、前記リクエストに指定されたイメージファイルを、前記携帯端末に送信するイメージファイル送信ステップと、
を有することを特徴とするアクセスログ記録方法。
【発明の詳細な説明】
【技術分野】
【０００１】
本発明は、携帯端末からネットワークを通じてＷｅｂサーバへアクセスしたアクセスログを記録するためのアクセスログ記録サーバ、アクセスログ記録システム及びアクセスログ記録方法に関するものである。
【背景技術】
【０００２】
インターネットの普及に伴い、Ｗｅｂサイトから様々な情報提供を行うことが一般化しているが、Ｗｅｂサイトの管理者にとっては、Ｗｅｂサイトを運営するＷｅｂサーバへのアクセス状況や、アクセスしたユーザのトラッキング等を解析することによって、マーケティング活動等に活用することが行われている。
【０００３】
このようなＷｅｂサーバへのアクセス状況の解析ツールとして、Ｗｅｂサーバ上のコンテンツに繰り返しアクセスするユーザの動向を把握するために、ｃｏｏｋｉｅを用いてユーザ毎のアクセス履歴を管理する発明や（例えば、特許文献１参照。）、Ｗｅｂページへのリクエストに対して、リファラ情報から特定したリンク元に関する情報を収集する方法に関する発明（例えば、特許文献２参照。）が開示されている。
【０００４】
【特許文献１】特開２００１−１０１２１２号公報
【特許文献２】特開２００３−１７８０８６号公報
【発明の開示】
【発明が解決しようとする課題】
【０００５】
上記の特許文献１記載の発明によってユーザ毎のアクセス履歴を把握するためには、ｃｏｏｋｉｅの利用可能な環境であることが前提となる。しかしながら、携帯電話機を用いて携帯サイトへアクセスする場合等のように、通信キャリアのプロキシーを通過してＷｅｂサーバにアクセスするケースでは、ｃｏｏｋｉｅを利用することができない端末がある。
【０００６】
また、上記の特許文献２記載の発明によってリンク元に関する情報を収集するためには、ユーザの利用する端末に備えられたブラウザが、リファラ機能を有するものでなければならない。しかしながら、携帯電話機に備えられるインターネット接続用のブラウザにはリファラ機能が備えられていないキャリアがあり、そのようなキャリアのネットワークを介する場合には、かかる方法を利用することができない。
【０００７】
このように、上記の特許文献１及び特許文献２に記載された発明は、パーソナルコンピュータ等を用いてインターネットに接続する環境を前提としており、携帯電話機等から通信キャリアのネットワークを介してインターネットに接続する環境においては適用することができない。一方で、携帯電話機からインターネットを介して携帯サイトのＷｅｂサーバにアクセスすることも極めて一般的となっているが、キャリアの公式サイト等でキャリアから端末の識別番号を受信できるケースを除くと、ｃｏｏｋｉｅやリファラ等を用いてユーザのトラッキング解析等を行うことができないため、携帯サイトのＷｅｂサーバへのアクセス状況の把握は、各々のコンテンツへのアクセス数をカウントする程度に止まっているのが現状である。
【０００８】
本発明は、このような課題に対応するためになされたものであり、ｃｏｏｋｉｅやリファラなどの手段を用いずに、ユーザの行動分析等に用いることができるＷｅｂサーバへのアクセスログの記録を可能にすることによって、携帯電話機等からのアクセスにも対応が可能なアクセスログ記録サーバ、アクセスログ記録システム及びアクセスログ記録方法を提供することを目的とするものである。
【課題を解決するための手段】
【０００９】
本発明においては、Ｗｅｂサーバが携帯端末からのリクエストを受け付けると、Ｗｅｂサーバが割り当てたＩＤを埋め込んだリンクタグ等を含むコンテンツファイルを返信し、コンテンツファイルが表示された際にリンクが選択されると、埋め込まれたＩＤが付されたリンク先へのリクエストが送信されるように構成することによって、ｃｏｏｋｉｅを用いなくても、携帯端末とのセッション毎のアクセスログを収集することができる。第１の発明では、コンテンツを送信するＷｅｂサーバにおいてアクセスログを記録し、第２の発明では、コンテンツを送信するＷｅｂサーバとは別のログ集計サーバにおいてアクセスログを記録する。
【００１０】
本願にかかる課題を解決する第１の発明は、携帯端末からネットワークを通じてＷｅｂサーバへアクセスしたアクセスログを記録するためのアクセスログ記録サーバであって、リンクタグ又はフォームタグを含むことが可能な携帯端末の画面に所定のページを表示するためコンテンツファイルを格納するコンテンツファイル格納手段と、前記携帯端末から、コンテンツファイルを指定したリクエストを受け付けるコンテンツリクエスト受付手段と、前記コンテンツリクエスト受付手段がリクエストを受け付けると、前記リクエストに、前記携帯端末と前記Ｗｅｂサーバとのセッションを特定するセッションＩＤが付されているかを確認し、セッションＩＤが付されていない場合には、新たなセッションＩＤを発行するＩＤ発行手段と、前記コンテンツリクエスト受付手段が受け付けたリクエストに指定されたコンテンツファイルを前記コンテンツファイル格納手段から読み出して、前記コンテンツファイルにリンクタグ又はフォームタグが含まれているかを確認し、リンクタグ又はフォームタグが含まれている場合には、前記コンテンツファイルに含まれる全てのリンクタグ及びフォームタグに、前記リクエストに付されたセッションＩＤ又は前記ＩＤ発行手段の発行したセッションＩＤを埋め込んだ、前記携帯端末への送信用のコンテンツファイルを作成する送信用ファイル作成手段と、前記送信用ファイル作成手段が作成したコンテンツファイルを、前記携帯端末に送信するコンテンツファイル送信手段と、携帯端末からネットワークを通じてＷｅｂサーバへアクセスしたアクセスログを、セッションＩＤ毎に格納するアクセスログ格納手段と、前記アクセスログ格納手段の、前記リクエストに付されたセッションＩＤ又は前記ＩＤ発行手段の発行したセッションＩＤに対応するアクセスログに、前記コンテンツファイルのアドレス情報を新たなアクセスログとして記録するアクセスログ記録手段と、を備えることを特徴とするアクセスログ記録サーバである。
【００１１】
第１の発明によると、コンテンツファイルのリクエストに対して、Ｗｅｂサーバが割当てたセッションを特定するセッションＩＤをリンクタグとフォームタグに埋め込むことにより、コンテンツファイルを送信した携帯端末でリンクの選択やフォームへの入力等が行われると、埋め込まれたセッションＩＤを付したリンク先等のコンテンツファイルのリクエストが受け付けられるため、セッションＩＤ毎にアクセスログを記録することによって、ｃｏｏｋｉｅを用いなくても、同一セッションにおける同一の携帯端末からのアクセスログを収集することができる。
【００１２】
第１の発明においては、１セッションはＷｅｂサーバへの初回のリクエストから、リンクの選択やフォームへの入力によって継続的に行われるリクエストとして把握される。リンクタグは、文字や画像の表示部分を選択するとリンク先のコンテンツファイルのリクエストを送信するもので、フォームタグは、入力フォーム等の表示部分にデータを入力すると他のコンテンツファイルのリクエストを送信するものであるが、リンクの選択やフォームへの入力を行うと、タグに埋め込まれたセッションＩＤがコンテンツファイルのリクエストとともに送信されるように、セッションＩＤはリンクタグ及びフォームタグに記述される。
【００１３】
また、第１の発明は、前記コンテンツリクエスト受付手段が受け付けたリクエストに、前記リクエスト送信時において前記携帯端末に表示されていたコンテンツファイルのアドレス情報である第１のＵＲＬが付されているかを識別するアドレス情報識別手段が備えられていて、前記送信用ファイル作成手段においては、前記リンクタグ及びフォームタグには、前記リクエストに付されたセッションＩＤ又は前記ＩＤ発行手段の発行したセッションＩＤに加えて、前記送信用ファイル作成手段の読み出したコンテンツファイルのアドレス情報である第２のＵＲＬが埋め込まれて、前記アクセスログ記録手段は、前記リクエストに付されたセッションＩＤ又は前記ＩＤ発行手段の発行したセッションＩＤに対応するアクセスログに、前記アドレス情報識別手段において前記第１のＵＲＬが識別された場合には、前記第１のＵＲＬから前記第２のＵＲＬへの遷移を新たなアクセスログとして記録すること、を特徴とすることもできる。
【００１４】
この構成においては、リンクタグ及びフォームタグに、セッションＩＤのみでなくリクエストを受けたコンテンツファイルのＵＲＬを埋め込むことによって、リンクの選択やフォームへの入力等が行われると、埋め込まれたセッションＩＤと表示されているコンテンツファイルのＵＲＬを付したリンク先等のコンテンツファイルのリクエストが受け付けられるため、セッションＩＤ毎にアクセスログを記録する際には、リファラを用いなくても、前にアクセスしたコンテンツファイルからの遷移を含んだアクセスログを収集することができる。
【００１５】
さらに、第１の発明は、前記携帯端末は携帯電話機であって、前記コンテンツリクエスト受付手段が受け付けたリクエストに、前記携帯電話機を識別する端末ＩＤが付されている場合には、前記セッションＩＤ発行手段は、前記セッションＩＤが付されていない場合であっても、新たなセッションＩＤを発行せず、前記送信用ファイル作成手段は、前記リンクタグ及びフォームタグには、前記リクエストに付されたセッションＩＤ又は前記ＩＤ発行手段の発行したセッションＩＤに代えて前記端末ＩＤを埋め込んで、前記アクセスログ格納手段には、セッションＩＤ又は端末ＩＤ毎にアクセスログが格納され、前記アクセスログ記録手段は、前記リクエストに端末ＩＤが付されている場合には、前記アクセスログ格納手段の前記端末ＩＤに対応するアクセスログに、前記アドレス情報を新たなアクセスログとして記録することを特徴としてもよい。
【００１６】
携帯キャリアの公式サイトを提供するＷｅｂサーバ等では、携帯電話機からのアクセス時に、携帯電話機毎に付された識別番号を取得できる場合がある。このようなケースにおいては、セッション毎に付与されるセッションＩＤに代えて携帯電話機を識別する端末ＩＤを用いることによって、セッションが切断された場合であっても同一の携帯電話機からのアクセスログを継続して記録することができる。
【００１７】
本発明にかかる課題を解決する第２の発明は、携帯端末からネットワークを通じてコンテンツサーバへアクセスしたアクセスログを、ログ集計サーバに記録するためのアクセスログ記録システムであって、前記コンテンツサーバには、リンクタグ又はフォームタグを含むことが可能な携帯端末の画面に所定のページを表示するためコンテンツファイルを格納するコンテンツファイル格納手段と、前記携帯端末から、コンテンツファイルを指定したリクエストを受け付けるコンテンツリクエスト受付手段と、前記コンテンツリクエスト受付手段がリクエストを受け付けると、前記リクエストに、前記携帯端末と前記コンテンツサーバとのセッションを特定するセッションＩＤが付されているかを確認し、セッションＩＤが付されていない場合には、新たなセッションＩＤを発行するＩＤ発行手段と、前記コンテンツリクエスト受付手段が受け付けたリクエストに指定されたコンテンツファイルを前記コンテンツファイル格納手段から読み出して、前記コンテンツファイルにリンクタグ又はフォームタグが含まれているかを確認し、リンクタグ又はフォームタグが含まれている場合には、前記コンテンツファイルに含まれる全てのリンクタグ及びフォームタグに、前記リクエストに付されたセッションＩＤ又は前記ＩＤ発行手段の発行したセッションＩＤを埋め込むとともに、前記リクエストに付されたセッションＩＤ又は前記ＩＤ発行手段の発行したセッションＩＤと前記コンテンツファイルのアドレス情報とが埋め込まれた、前記ログ集計サーバに格納されたイメージファイルをリクエストするイメージタグを前記コンテンツファイルに付加して、前記携帯端末への送信用のコンテンツファイルを作成する送信用ファイル作成手段と、前記送信用ファイル作成手段が作成したコンテンツファイルを、前記携帯端末に送信するコンテンツファイル送信手段と、を備えていて、前記ログ集計サーバには、携帯端末からネットワークを通じてコンテンツサーバへアクセスしたアクセスログを、セッションＩＤ毎に格納するアクセスログ格納手段と、前記コンテンツファイル送信手段の送信したコンテンツファイルを受信した携帯端末から、前記イメージタグに埋め込まれたセッションＩＤとアドレス情報が付された、前記イメージファイルのリクエストを受け付けるイメージリクエスト受付手段と、前記リクエストに付された前記セッションＩＤと前記アドレス情報を取得して、前記アクセスログ格納手段の前記セッションＩＤに対応するアクセスログに、前記アドレス情報を新たなアクセスログとして記録するアクセスログ記録手段と、前記リクエストに指定されたイメージファイルを、前記携帯端末に送信するイメージファイル送信手段と、を備えることを特徴とするアクセスログ記録システムである。
【００１８】
第２の発明も第１の発明と同様に、セッションＩＤをリンクタグとフォームタグに埋め込むことによってセッションＩＤ毎のアクセスログを記録するが、第２の発明では、セッションＩＤとコンテンツファイルのＵＲＬ等のアドレス情報を埋め込んだイメージタグを作成し、イメージタグによりリクエストされるイメージファイルをログ集計サーバに格納することによって、コンテンツを提供するＷｅｂサーバであるコンテンツサーバとは別のログ集計サーバにおいて、イメージファイルのリクエストに付されたセッションＩＤとコンテンツファイルのアドレス情報から、セッションＩＤ毎のアクセスログを記録することができる。コンテンツサーバとは分離されたログ集計サーバを用いることによって、コンテンツサーバの運営者とは別の専門の事業者等によって、アクセスログの管理・分析等を行うことが可能になる。
【００１９】
第２の発明においても、１セッションはＷｅｂサーバへの初回のリクエストから、リンクの選択やフォームへの入力によって継続的に行われるリクエストとして把握され、リンクタグやフォームタグの構成についても、第１の発明と同様である。第２の発明において用いられるイメージタグには、ログ集計サーバに格納された無色透明のイメージファイルをリクエストするよう設定することによって、携帯端末の画面上には何ら表示されることなく、ログ集計サーバでのアクセスログの収集が可能になる。
【００２０】
また、第２の発明は、前記コンテンツサーバには、前記コンテンツリクエスト受付手段が受け付けたリクエストに、前記リクエスト送信時において前記携帯端末に表示されていたコンテンツファイルのアドレス情報である第１のＵＲＬが付されているかを識別するアドレス情報識別手段が備えられていて、前記送信用ファイル作成手段においては、前記イメージタグに埋め込まれたアドレス情報には第２のＵＲＬが指定され、前記リンクタグ及びフォームタグには、前記リクエストに付されたセッションＩＤ又は前記ＩＤ発行手段の発行したセッションＩＤに加えて前記第２のＵＲＬが埋め込まれるとともに、前記アドレス情報識別手段において前記第１のＵＲＬが識別された場合には、前記イメージタグには、前記リクエストに付されたセッションＩＤ又は前記ＩＤ発行手段の発行したセッションＩＤと前記第２のＵＲＬに加えて前記第１のＵＲＬが埋め込まれて、前記ログ集計サーバにおいて、前記イメージリクエスト受付手段は、前記イメージタグに埋め込まれたセッションＩＤと前記第２のＵＲＬに加えて前記第１のＵＲＬが付された前記イメージファイルのリクエストを受け付けて、前記アクセスログ記録手段は、前記リクエストに付された前記セッションＩＤ、前記第１のＵＲＬ、及び前記第２のＵＲＬを取得して、前記アクセスログ格納手段の前記セッションＩＤに対応するアクセスログに、前記第１のＵＲＬから前記第２のＵＲＬへの遷移を新たなアクセスログとして記録すること、を特徴とすることもできる。
【００２１】
この構成においては、リンクタグ及びフォームタグに、セッションＩＤのみでなくリクエストを受けたコンテンツファイルのＵＲＬを埋め込むとともに、イメージタグにはセッションＩＤに加えてコンテンツファイルのリクエストに付されたＵＲＬとリクエストを受けたコンテンツファイルのＵＲＬを埋め込むことによって、ログ集計サーバにおいてセッションＩＤ毎にアクセスログを記録する際に、リファラを用いなくても、前にアクセスしたコンテンツファイルからの遷移を含んだアクセスログを収集することができる。
【００２２】
さらに、第２の発明は、前記携帯端末は携帯電話機であって、前記コンテンツサーバにおいては、前記コンテンツリクエスト受付手段が受け付けたリクエストに、前記携帯電話機を識別する端末ＩＤが付されている場合には、前記セッションＩＤ発行手段は、前記セッションＩＤが付されていない場合であっても、新たなセッションＩＤを発行せず、前記送信用ファイル作成手段は、前記リンクタグ及びフォームタグには、前記リクエストに付されたセッションＩＤ又は前記ＩＤ発行手段の発行したセッションＩＤに代えて前記端末ＩＤを埋め込むとともに、前記イメージタグには、前記リクエストに付されたセッションＩＤ又は前記ＩＤ発行手段の発行したセッションＩＤに代えて前記端末ＩＤが埋め込まれて、前記ログ集計サーバにおいては、前記アクセスログ格納手段には、セッションＩＤ又は端末ＩＤ毎にアクセスログが格納され、前記イメージリクエスト受付手段は、前記携帯電話機から、前記イメージタグに埋め込まれた端末ＩＤとアドレス情報が付された前記イメージファイルのリクエストを受け付けて、前記アクセスログ記録手段は、前記リクエストに付された前記端末ＩＤと前記アドレス情報を取得して、前記アクセスログ格納手段の前記端末ＩＤに対応するアクセスログに、前記アドレス情報を新たなアクセスログとして記録することを特徴としてもよい。
【００２３】
このように構成すると、第１の発明と同様に、携帯キャリアの公式サイトを提供するＷｅｂサーバ等については、セッションＩＤに代えて携帯電話機を識別する端末ＩＤを用いることによって、セッションが切断された場合であっても同一の携帯電話機からのアクセスログを継続して記録することができる。
【００２４】
さらに、第一及び第二の発明にかかるアクセスログ記録システムは、アクセスログ記録システムの各々の構成に対応して実行されるアクセスログ記録方法として特定することもできる。
【００２５】
つまり、第１の発明に対応するアクセスログ記録方法は、携帯端末からネットワークを通じてＷｅｂサーバへアクセスしたアクセスログを記録するためのアクセスログ記録方法であって、前記Ｗｅｂサーバは、リンクタグ又はフォームタグを含むことが可能な携帯端末の画面に所定のページを表示するためコンテンツファイルを格納するコンテンツファイル格納部と、携帯端末からネットワークを通じてＷｅｂサーバへアクセスしたアクセスログを、セッションＩＤ毎に格納するアクセスログ格納部とを備えていて、前記Ｗｅｂサーバが、前記携帯端末から、コンテンツファイルを指定したリクエストを受け付けるコンテンツリクエスト受付ステップと、前記Ｗｅｂサーバが、前記コンテンツリクエスト受付ステップでリクエストを受け付けると、前記リクエストに、前記携帯端末と前記Ｗｅｂサーバとのセッションを特定するセッションＩＤが付されているかを確認し、セッションＩＤが付されていない場合には、新たなセッションＩＤを発行するＩＤ発行ステップと、前記Ｗｅｂサーバが、前記コンテンツリクエスト受付ステップで受け付けたリクエストに指定されたコンテンツファイルを前記コンテンツファイル格納部から読み出して、前記コンテンツファイルにリンクタグ又はフォームタグが含まれているかを確認し、リンクタグ又はフォームタグが含まれている場合には、前記コンテンツファイルに含まれる全てのリンクタグ及びフォームタグに、前記リクエストに付されたセッションＩＤ又は前記ＩＤ発行ステップで発行したセッションＩＤを埋め込んだ、前記携帯端末への送信用のコンテンツファイルを作成する送信用ファイル作成ステップと、前記Ｗｅｂサーバが、前記送信用ファイル作成ステップで作成したコンテンツファイルを、前記携帯端末に送信するコンテンツファイル送信ステップと、前記Ｗｅｂサーバが、前記アクセスログ格納部の、前記リクエストに付されたセッションＩＤ又は前記ＩＤ発行ステップで発行したセッションＩＤに対応するアクセスログに、前記コンテンツファイルのアドレス情報を新たなアクセスログとして記録するアクセスログ記録ステップと、を有することを特徴とするアクセスログ記録方法である。
【００２６】
また、第２の発明に対応するアクセスログ記録方法は、携帯端末からネットワークを通じてコンテンツサーバへアクセスしたアクセスログを、ログ集計サーバに記録するためのアクセスログ記録方法であって、前記コンテンツサーバは、リンクタグ又はフォームタグを含むことが可能な携帯端末の画面に所定のページを表示するためコンテンツファイルを格納するコンテンツファイル格納部を備え、前記コンテンツサーバが、前記携帯端末から、コンテンツファイルを指定したリクエストを受け付けるコンテンツリクエスト受付ステップと、前記コンテンツサーバが、前記コンテンツリクエスト受付ステップでリクエストを受け付けると、前記リクエストに、前記携帯端末と前記コンテンツサーバとのセッションを特定するセッションＩＤが付されているかを確認し、セッションＩＤが付されていない場合には、新たなセッションＩＤを発行するＩＤ発行ステップと、前記コンテンツサーバが、前記コンテンツリクエスト受付ステップで受け付けたリクエストに指定されたコンテンツファイルを前記コンテンツファイル格納部から読み出して、前記コンテンツファイルにリンクタグ又はフォームタグが含まれているかを確認し、リンクタグ又はフォームタグが含まれている場合には、前記コンテンツファイルに含まれる全てのリンクタグ及びフォームタグに、前記リクエストに付されたセッションＩＤ又は前記ＩＤ発行ステップで発行したセッションＩＤを埋め込むとともに、前記リクエストに付されたセッションＩＤ又は前記ＩＤ発行ステップで発行したセッションＩＤと前記コンテンツファイルのアドレス情報とが埋め込まれた、前記ログ集計サーバに格納されたイメージファイルをリクエストするイメージタグを前記コンテンツファイルに付加して、前記携帯端末への送信用のコンテンツファイルを作成する送信用ファイル作成ステップと、前記コンテンツサーバが、前記送信用ファイル作成ステップで作成したコンテンツファイルを、前記携帯端末に送信するコンテンツファイル送信ステップと、を有していて、前記ログ集計サーバは、携帯端末からネットワークを通じてコンテンツサーバへアクセスしたアクセスログを、セッションＩＤ毎に格納するアクセスログ格納部を備え、前記ログ集計サーバが、前記コンテンツファイル送信ステップで送信したコンテンツファイルを受信した携帯端末から、前記イメージタグに埋め込まれたセッションＩＤとアドレス情報が付された、前記イメージファイルのリクエストを受け付けるイメージリクエスト受付ステップと、前記ログ集計サーバが、前記リクエストに付された前記セッションＩＤと前記アドレス情報を取得して、前記アクセスログ格納部の前記セッションＩＤに対応するアクセスログに、前記アドレス情報を新たなアクセスログとして記録するアクセスログ記録ステップと、前記ログ集計サーバが、前記リクエストに指定されたイメージファイルを、前記携帯端末に送信するイメージファイル送信ステップと、を有することを特徴とするアクセスログ記録方法である。
【発明の効果】
【００２７】
本発明により、ｃｏｏｋｉｅを用いなくても、Ｗｅｂサーバにアクセスした携帯端末をセッション単位で特定して、セッション毎のアクセスログを記録することが可能になる。また、リファラを用いなくても、Ｗｅｂサーバにアクセスした際に表示されていたコンテンツファイルを特定して、携帯端末に表示されたコンテンツファイルの遷移を記録することが可能になる。
【００２８】
これによって、ｃｏｏｋｉｅやリファラを利用することができない、携帯電話機から通信キャリアのネットワークを介してＷｅｂサーバにアクセスするようなケースにおいても、携帯端末におけるセッション毎に記録されたアクセスログを解析することによって、携帯サイトにおけるユーザの行動分析等を行うことが可能になる。
【発明を実施するための最良の形態】
【００２９】
本発明を実施するための最良の形態について、図面を用いて以下に詳細に説明する。尚、以下においては、携帯電話機から通信キャリアのネットワークを介してコンテンツサーバにアクセスし、コンテンツサーバとは異なるログ集計サーバにアクセスログを記録する場合の実施形態を中心に説明するが、この説明は本発明の実施形態の一例を示したものであって、本発明はかかる実施形態に限定されるものではない。
【００３０】
図１は、本発明にかかるアクセスログ記録システムの構成を示す図である。図２〜図８は、本発明にかかるアクセスログ記録システムにおけるアクセスログの記録手順を示す第１〜第７の図である。図９は、本発明にかかるアクセスログ記録システムにおけるアクセスログ格納部の一例を示す図である。図１０は、本発明にかかるアクセスログ記録システムにおいて、コンテンツファイルに埋め込まれるリンクタグの一例を示す図である。図１１は、本発明にかかるアクセスログ記録システムにおいて、コンテンツファイルに埋め込まれるフォームタグの一例を示す図である。図１２は、本発明にかかるアクセスログ記録システムにおいて、コンテンツファイルに埋め込まれるイメージタグの一例を示す図である。図１３は、本発明にかかるアクセスログ記録システムにおいて、コンテンツサーバがコンテンツファイルのリクエストを受け付ける処理フローを示すフローチャートである。図１４は、本発明にかかるアクセスログ記録システムにおいて、ログ集計サーバがイメージファイルのリクエストを受け付ける処理フローを示すフローチャートである。
【００３１】
図１を用いて、本発明にかかるアクセスログ記録システムの構成と、運用形態について説明する。図１において、ユーザが携帯電話機３０を用いてインターネットに接続し、コンテンツサーバ１０にアクセスして携帯電話機用のＷｅｂサイトを閲覧しようとする場合、携帯電話機３０から発信された電波は最寄りの基地局４１で受け付けられ、キャリア通信網４０を経てキャリアゲートウェイ４２からインターネット通信網５０に接続される。尚、本発明において用いられる端末は、携帯電話機に限られるものではなく、インターネット通信網５０に接続できるものであれば、パーソナルコンピュータ等を用いることとしてもよい。キャリア通信網４０を通じてインターネット通信網５０に接続される場合については、モバイルＰＣ、ＰＤＡ等を用いることとしてもよい。
【００３２】
インターネット通信網５０を介してコンテンツサーバ１０との通信が確立されると、コンテンツサーバ１０ではリクエストに指定されたコンテンツファイルをコンテンツファイル格納部１１から取得して、携帯電話機３０に向けて送信する。ここで、コンテンツサーバ１０においてアクセスのあった携帯電話機３０を特定したい場合、コンテンツサーバ１０がキャリアの公式サイト等のＷｅｂサーバであれば、キャリア通信網４０を経て送信されるリクエストには携帯電話機３０の端末番号が付されているが、リクエストに端末番号が付されていない場合には、コンテンツサーバ１０の発行するセッションＩＤによってセッション単位で携帯電話機３０を特定する。
【００３３】
携帯電話機３０に送信されるコンテンツファイルにおいては、コンテンツサーバ１０の発行するセッションＩＤが、リンクの選択やフォームへの入力時にセッションＩＤを付したリクエストを送信するように設定されて、コンテンツファイルに含まれるリンクタグとフォームタグに埋め込まれる。コンテンツファイルを受信した携帯電話機３０において、リンクタグにより表示されたリンクの選択や、フォームタグにより表示されたフォームへの入力が行われると、セッションＩＤを付したリクエストがコンテンツサーバ１０に送信されることになるため、コンテンツサーバ１０への初回アクセスからリンクの選択やフォームへの入力によって継続してリクエストが送信される間を１セッションとして、セッションＩＤ毎のアクセスログを記録することができる。
【００３４】
また、リンクタグとフォームタグに、セッションＩＤと併せてリクエストを受けたコンテンツファイルのＵＲＬを埋め込むよう構成すると、次のコンテンツファイルのリクエスト時には先に表示されたコンテンツファイルのＵＲＬが付されることとなり、このようなコンテンツファイルのリクエストに付されたＵＲＬを取得することによって、コンテンツサーバ１０へのアクセスの記録と併せて、前にアクセスしたコンテンツファイルからの遷移をアクセスログに記録することができる。
【００３５】
セッションＩＤ毎のアクセスログは、コンテンツサーバ１０において記録することとしてもよいが、アクセスログの集計や解析を集中して行うためには、コンテンツサーバ１０へのアクセス記録をログ集計サーバ２０に転送して、アクセスログ格納部２１に格納するように構成することが好ましい。アクセス記録のログ集計サーバ２０への転送は、次のように行われる。
【００３６】
コンテンツファイル格納部１１から読み出したコンテンツファイルには、携帯電話機３０の表示画面において、ユーザには認識されない無色透明のイメージファイルを表示するためのイメージタグが付加される。このイメージタグには、セッションＩＤとリクエストを受け付けたコンテンツファイルのＵＲＬが埋め込まれる。イメージタグに指定されるイメージファイルはログ集計サーバ２０に格納されているが、携帯電話機３０においてコンテンツファイルが表示されると、イメージファイルを取得するためにログ集計サーバ２０へリクエストが送信される。イメージファイルを取得するためのリクエストには、イメージタグに埋め込まれたセッションＩＤと表示されたコンテンツファイルのＵＲＬが付されるため、ログ集計サーバ２０においてリクエストに付されたセッションＩＤを特定し、アクセスログ格納部２１の特定したセッションＩＤに対応するテーブル等に、表示されたコンテンツファイルのＵＲＬについてのアクセスログを記録することができる。
【００３７】
さらに、イメージタグにセッションＩＤとリクエストを受けたコンテンツファイルのＵＲＬに加えて、コンテンツファイルのリクエストに付されたＵＲＬを併せて埋め込むこととすれば、前にアクセスしたコンテンツファイルからの遷移をアクセスログに記録することができる。
【００３８】
尚、上記のようにコンテンツサーバ１０へのアクセス記録をログ集計サーバ２０に転送して、アクセスログの集計や解析を集中して行う場合、ログ集計サーバ２０において複数のコンテンツサーバからのアクセス記録を受け付けることとなるため、コンテンツサーバ毎に対象となるＷｅｂサイトを特定するサービスＩＤを付与し、各々のコンテンツサーバにおいては、セッションＩＤと合わせてサービスＩＤをイメージタグに埋め込むように構成してもよい。このように構成すると、ログ集計サーバ２０へのイメージファイルのリクエストにはサービスＩＤが付され、アクセスログ格納部２１のサービスＩＤに対応するテーブル等を特定して、アクセスログが記録されることになる。
【００３９】
尚、コンテンツサーバ１０がキャリアの公式サイト等のＷｅｂサーバであって、キャリア通信網４０を経て送信されるリクエストに携帯電話機３０の端末番号が付されている場合には、これまで説明したフローにおいて、セッションＩＤに代えて端末番号に対応する端末ＩＤを用いることとすれば、セッション単位に限定されることなく、携帯電話機毎のアクセスログを継続して記録することができる。
【００４０】
図２〜図８を用いて、本発明にかかるアクセスログ記録システムにおけるアクセスログの記録手順について説明する。尚、この例では、コンテンツサーバとは異なるログ集計サーバにおいてアクセスログを収集し、携帯端末の特定はセッション単位のセッションＩＤによって行うものとする。
【００４１】
まず、図２に示したように、携帯電話機からコンテンツサーバにアクセスして、「ＵＲＬ１」のアドレスを指定した初回のリクエストを送信する。このリクエストは、コンテンツサーバに対する初回のリクエストであるので、新たなセッションが開始されたとして、コンテンツサーバにおいて新規のセッションＩＤが割り当てられる。ここでは割り当てられたセッションＩＤを、「００１」とする。
【００４２】
リクエストを受け付けたコンテンツサーバでは、「ＵＲＬ１」に対応するコンテンツファイルをコンテンツファイル格納部から読み出す。読み出したコンテンツファイルに、他のコンテンツを呼び出すためのリンクタグ、データ入力を行うためのフォームタグが含まれている場合には、全てのリンクタグとフォームタグに、セッションＩＤ「００１」が埋め込まれる。併せて、リクエストを受けたコンテンツファイルのアドレス情報である「ＵＲＬ１」も埋め込まれる。図３においては、リンク先のコンテンツファイルのアドレスである「ＵＲＬ２」へのリンクタグには、セッションＩＤ「００１」と、リクエストを受けたコンテンツファイルのアドレス情報である「ＵＲＬ１」が埋め込まれている。
【００４３】
また、コンテンツサーバへのアクセス情報をログ集計サーバに転送するために、コンテンツファイルにはログ集計サーバにあるイメージファイルを呼び出すためのイメージタグが埋め込まれる。携帯電話機においてコンテンツファイルが表示されると、かかるイメージファイルを読み出すためにログ集計サーバにリクエストが送信されるが、このリクエストにアクセス情報を付加することができるように、イメージタグにもアクセス情報が埋め込まれる。図３においては、イメージタグにセッションＩＤ「００１」と、リクエストを受けたコンテンツファイルのアドレス情報である「ＵＲＬ１」が埋め込まれている。
【００４４】
上記のように、リンクタグとフォームタグにセッションＩＤ等のアクセス情報が埋め込まれ、かつセッションＩＤ等のアクセス情報が埋め込まれたイメージタグが付加されたコンテンツファイルのレスポンスが、携帯電話機に送信される。尚、リンクタグ、フォームタグ、イメージタグへのセッションＩＤ等のアドレス情報の埋め込みは、それぞれリンクの選択、フォームへの入力、イメージファイルの呼び出しのリクエストにおいて、セッションＩＤ等のアドレス情報が付加されるように記述される。
【００４５】
図１０〜図１２は、それぞれコンテンツファイルに埋め込まれるリンクタグ、フォームタグ、イメージタグをマークアップ言語により記述した一例である。リンクタグである＜ａ＞タグ、フォームタグである＜ｆｏｒｍ＞タグ、イメージタグである＜ｉｍｇ＞タグには、セッションＩＤである「ＸＸＸＸＸＸＸＸ」等が埋め込まれている。
【００４６】
尚、これらのタグの例において、リンクタグとフォームタグには、リクエストを受けたコンテンツファイルのＵＲＬが埋め込まれていないが、かかるＵＲＬを埋め込むと、リンク先へのリクエストの際に表示していたコンテンツファイルのＵＲＬを特定することができる。一方、イメージタグには、ログ集計サーバにアクセス情報を転送するために、必ずリクエストを受けたコンテンツファイルのＵＲＬが埋め込まれる。
【００４７】
携帯電話機において、レスポンスされたコンテンツファイルを受け付けると、コンテンツファイルに付加されたイメージタグによって、携帯電話機においてユーザが何らかの操作をすることなく、自動的にイメージファイルを呼び出すためのリクエストがログ集計サーバへ送信される。図４に示したように、このリクエストには、イメージタグに埋め込まれたセッションＩＤ「００１」とアドレス情報「ＵＲＬ１」が付されている。
【００４８】
イメージファイルのリクエストを受け付けたログ集計サーバでは、アクセスログ格納部２１にアクセスログを記録する。アクセスログ格納部２１にはセッションＩＤ毎にアクセスログを格納するテーブルが設けられていて、図４の例であれば、セッションＩＤ「００１」に対応するテーブルに、最初のアクセスログとして「ＵＲＬ１」が記録される。尚、記録されるアクセスログはアドレス情報に限定されるものではなく、リクエストの受付時刻等を併せて記録することとしてもよい。
【００４９】
ログ集計サーバにおいてアクセスログが記録されると、ログ集計サーバのＨＤＤ等に格納されたイメージファイルを読み出して、図５に示したように、携帯電話機へイメージファイルがレスポンスとして送信される。送信されるイメージファイルには、無色透明のイメージを用いることとすれば、携帯電話機の表示画面上には何ら変化が生じることはない。
【００５０】
次に、携帯電話機において「ＵＲＬ１」のコンテンツファイルが表示されている状態から、画面上に表示された「ＵＲＬ２」のコンテンツファイルへのリンクが選択されると、コンテンツサーバに「ＵＲＬ２」についてのリクエストが送信される。このリクエストには、図６に示したように、「ＵＲＬ２」へのリンクを表示するリンクタグに埋め込まれた、セッションＩＤ「００１」とアドレス情報ＵＲＬ「ＵＲＬ１」が付加される。
【００５１】
リクエストを受け付けたコンテンツサーバでは、「ＵＲＬ２」に対応するコンテンツファイルをコンテンツファイル格納部から読み出す。読み出したコンテンツファイルに、他のコンテンツを呼び出すためのリンクタグ、データ入力を行うためのフォームタグが含まれている場合には、全てのリンクタグとフォームタグに、リクエストに付加されたセッションＩＤ「００１」と、リクエストを受けたコンテンツファイルのアドレス情報である「ＵＲＬ２」が埋め込まれる。図７においては、リンク先のコンテンツファイルのアドレスである「ＵＲＬ３」へのリンクタグには、セッションＩＤ「００１」と、リクエストを受けたコンテンツファイルのアドレス情報である「ＵＲＬ２」が埋め込まれている。
【００５２】
また、コンテンツサーバへのアクセス情報をログ集計サーバに転送するために、コンテンツファイルにはログ集計サーバにあるイメージファイルを呼び出すためのイメージタグが埋め込まれる。イメージタグには、図７に示したように、リクエストに付加されたセッションＩＤ「００１」、リクエストを受けたコンテンツファイルのアドレス情報「ＵＲＬ２」に加えて、リクエストに付加されたアドレス情報「ＵＲＬ１」が埋め込まれるが、アドレス情報は「ＵＲＬ１→ＵＲＬ２」というページの遷移が明らかになるような形式で記述されることが好ましい。このように、リンクタグとフォームタグにセッションＩＤ等のアクセス情報が埋め込まれ、かつセッションＩＤ等のアクセス情報が埋め込まれたイメージタグが付加されたコンテンツファイルのレスポンスが、携帯電話機に送信される。
【００５３】
携帯電話機において、レスポンスされたコンテンツファイルを受け付けると、コンテンツファイルに付加されたイメージタグによって、携帯電話機においてユーザが何らかの操作をすることなく、自動的にイメージファイルを呼び出すためのリクエストがログ集計サーバへ送信される。図８に示したように、このリクエストには、イメージタグに埋め込まれたセッションＩＤ「００１」とページ遷移を示すアドレス情報「ＵＲＬ１→ＵＲＬ２」が付されている。
【００５４】
イメージファイルのリクエストを受け付けたログ集計サーバでは、アクセスログ格納部２１にアクセスログを記録する。図８の例であれば、セッションＩＤ「００１」に対応するテーブルに、２回目のアクセスログとして「ＵＲＬ１」から「ＵＲＬ２」への遷移が記録される。
【００５５】
図９は、ログ集計サーバに備えられたアクセスログ格納部にアクセスログを格納されるテーブルの一例を示したものである。このようなテーブルはセッションＩＤ単位で設けられ、リクエストを受けた際に表示されていたコンテンツファイルであるファイル１のＵＲＬ、リクエストを受けたコンテンツファイルであるファイル２のＵＲＬに、アクセスログを書き込んだ時刻等のアクセス時刻が記録されている。
【００５６】
図９において、セッションＩＤ「００１」によって特定されるセッションの最初のアクセスログには、ファイル１のフィールドは初回アクセスなので空欄となり、ファイル２にリクエストを受けたＵＲＬ「ｈｔｔｐ：／／ｗｗｗ．ｃｅｌｌａｎｔ．ｊｐ／ｔｏｐ」、とアクセス時刻「２００５／０９／０１／  １２：００：００」が記録されている。続いて、ユーザが「ｈｔｔｐ：／／ｗｗｗ．ｃｅｌｌａｎｔ．ｊｐ／ｔｏｐ」から「ｈｔｔｐ：／／ｗｗｗ．ｃｅｌｌａｎｔ．ｊｐ／ａｃｃｅｓｓ」へのリンクを実行すると、２回目のアクセスログとして、ファイル１にＵＲＬ「ｈｔｔｐ：／／ｗｗｗ．ｃｅｌｌａｎｔ．ｊｐ／ｔｏｐ」、ファイル２にＵＲＬ「ｈｔｔｐ：／／ｗｗｗ．ｃｅｌｌａｎｔ．ｊｐ／ａｃｃｅｓｓ」、アクセス時刻に「２００５／０９／０１／  １２：０１：０５」が記録される。このように、ユーザがリンク等を実行してページを遷移させる間は、１セッションとして継続してユーザの行動記録が把握される。
【００５７】
図９において、３回目のアクセスログを見ると、ファイル１には２回目と同じＵＲＬ「ｈｔｔｐ：／／ｗｗｗ．ｘｘｘ．ｃｏ．ｊｐ／ｔｏｐ」が記録されている。ユーザが順にリンクを辿った場合は、前回のファイル２に記録されたＵＲＬが今回のファイル１のＵＲＬとして記録されることになるが、ユーザが携帯電話機で「戻る」のボタン等を押下して前ページに戻り、他のリンクを選択した場合には、このようにファイル１に記録されるＵＲＬが連続することも生じ得る。このように、リクエストされたファイルのＵＲＬのみでなく、前ページのＵＲＬを併せて記録することによって、より正確なトラッキングが可能になる。
【００５８】
ログ集計サーバにおいてアクセスログが記録されると、ログ集計サーバからイメージファイルを読み出して、図５のケースと同様に、携帯電話機へイメージファイルがレスポンスとして送信される。送信されるイメージファイルに無色透明のイメージを用いればよいことも、図５のケースと同様である。
【００５９】
図１３のフローチャートを用いて、本発明にかかるアクセスログ記録システムにおいて、コンテンツサーバがコンテンツファイルのリクエストを受け付けて、レスポンスを送信する処理フローについて説明する。
【００６０】
コンテンツサーバが、携帯電話機からコンテンツファイルのリクエストを受け付けると（Ｓ０１）、受付けたコンテンツリクエストにセッションＩＤが付加されているかを確認する（Ｓ０２）。セッションＩＤは、初回のリクエスト時にコンテンツサーバにおいて割り当てられるものであるため、セッションが切断されない限り、２回目以降のリクエストには必ず含まれるものである。
【００６１】
セッションＩＤが付加されている場合は、同一セッションにおける２回目以降のリクエストであり、前回リクエストで指定されたＵＲＬもセッションＩＤと合わせてコンテンツリクエストに付加されているため、前回リクエストのＵＲＬを特定することができる（Ｓ１０）。セッションＩＤが含まれていない場合には、携帯端末に付与された端末ＩＤがリクエストに付加されているかを確認する（Ｓ０３）。端末ＩＤが付加されている場合には、当該端末ＩＤをセッションＩＤとして特定し（Ｓ１１）、端末ＩＤが含まれていない場合には、新規のセッションＩＤを発行する（Ｓ０４）。
【００６２】
次に、コンテンツサーバは、リクエストに指定されたコンテンツファイルを読み出して（Ｓ０５）、読み出したコンテンツファイルにリンクタグ（＜ａ＞タグ）とフォームタグ（＜ｆｏｒｍ＞タグ）が含まれているかを確認する（Ｓ０６）。リンクタグとフォームタグは、いずれも他のコンテンツファイルへ遷移する動作を実行するためのタグであって、リンク先へのリクエストにアクセス情報を付すことができるように、セッションＩＤと今回リクエストで指定されたＵＲＬを埋め込む（Ｓ０７）。
【００６３】
リンクタグとフォームタグがコンテンツファイルに含まれない場合、またはリンクタグとフォームタグにセッションＩＤ等を埋め込んだ後に、ログ集計サーバにアクセス情報を転送するためのイメージファイルをリクエストするイメージタグを、コンテンツファイルに付加する。付加されるイメージタグには、セッションＩＤと前回リクエストで指定されたＵＲＬ、今回リクエストで指定したＵＲＬが埋め込まれる（Ｓ０８）。このように、各々タグにセッションＩＤ及びＵＲＬが埋め込まれたコンテンツファイルを、レスポンスとして携帯電話機へ送信して（Ｓ０９）、処理を終了する。
【００６４】
次に、図１４を用いて、本発明にかかるアクセスログ記録システムにおいて、ログ集計サーバがイメージファイルのリクエストを受け付けて、アクセスログを記録する処理フローについて説明する。
【００６５】
コンテンツサーバからコンテンツファイルを受け付けた携帯電話機においては、コンテンツファイルが表示されると、コンテンツファイルに付加されたイメージタグによって、ユーザが何ら操作を行うことなく、自動的にイメージファイルのリクエストがログ集計サーバへ送信される。
【００６６】
ログ集計サーバが、携帯電話機からイメージファイルのリクエストを受け付けると（Ｓ２１）、リクエストに付加されたセッションＩＤ、前回リクエストで指定されたＵＲＬ、今回リクエストで指定されたＵＲＬを特定する（Ｓ２２）。特定されたセッションＩＤをキーにアクセスログ格納部を検索して、特定されたセッションＩＤに対応するアクセスログが格納されているかを確認する（Ｓ２３）。
【００６７】
アクセスログが存在する場合は、セッションＩＤに対応するテーブルに、前回リクエストで指定されたＵＲＬ、今回リクエストで指定されたＵＲＬを書き込んで、アクセスログを更新する（Ｓ２４）。さらに、リクエストを受けたイメージファイルを読出して、携帯電話機にレスポンスとしてイメージファイルを送信して（Ｓ２５）、処理を終了する。
【００６８】
イメージファイルリクエストから特定されたセッションＩＤに対応するアクセスログが存在しない場合は、当該セッションＩＤに対応するアクセスログを記録するためのテーブルを新規に作成して、アクセスログとして今回リクエストで指定されたＵＲＬ等を記録する（Ｓ２６）。このケースでは、セッションの初回リクエストとなるため、イメージファイルのリクエストには、前回リクエストで指定されたＵＲＬは付加されていない。さらに、リクエストを受けたイメージファイルを読出して、携帯電話機にレスポンスとしてイメージファイルを送信して（Ｓ２５）、処理を終了する。
【図面の簡単な説明】
【００６９】
【図１】本発明にかかるアクセスログ記録システムの構成を示す図である。
【図２】本発明にかかるアクセスログ記録システムにおけるアクセスログの記録手順を示す第１の図である。
【図３】本発明にかかるアクセスログ記録システムにおけるアクセスログの記録手順を示す第２の図である。
【図４】本発明にかかるアクセスログ記録システムにおけるアクセスログの記録手順を示す第３の図である。
【図５】本発明にかかるアクセスログ記録システムにおけるアクセスログの記録手順を示す第４の図である。
【図６】本発明にかかるアクセスログ記録システムにおけるアクセスログの記録手順を示す第５の図である。
【図７】本発明にかかるアクセスログ記録システムにおけるアクセスログの記録手順を示す第６の図である。
【図８】本発明にかかるアクセスログ記録システムにおけるアクセスログの記録手順を示す第７の図である。
【図９】本発明にかかるアクセスログ記録システムにおけるアクセスログ格納部の一例を示す図である。
【図１０】本発明にかかるアクセスログ記録システムにおいて、コンテンツファイルに埋め込まれるリンクタグの一例を示す図である。
【図１１】本発明にかかるアクセスログ記録システムにおいて、コンテンツファイルに埋め込まれるフォームタグの一例を示す図である。
【図１２】本発明にかかるアクセスログ記録システムにおいて、コンテンツファイルに埋め込まれるイメージタグの一例を示す図である。
【図１３】本発明にかかるアクセスログ記録システムにおいて、コンテンツサーバがコンテンツファイルのリクエストを受け付ける処理フローを示すフローチャートである。
【図１４】本発明にかかるアクセスログ記録システムにおいて、ログ集計サーバがイメージファイルのリクエストを受け付ける処理フローを示すフローチャートである。
【符号の説明】
【００７０】
１０  コンテンツサーバ
１１  コンテンツファイル格納部
２０  ログ集計サーバ
２１  アクセスログ格納部
３０  携帯電話機
４０  キャリア通信網
４１  基地局
４２  キャリアゲートウェイ
５０  インターネット通信網
【図９】
2011008796.tif 000003
【図１０】
2011008796.tif 000004
【図１１】
2011008796.tif 000005
【図１２】
2011008796.tif 000006
【図１３】
2011008796.tif 000007
【図１４】
2011008796.tif 000008
【図１】
2011008796.tif 000009
【図２】
2011008796.tif 000010
【図３】
2011008796.tif 000011
【図４】
2011008796.tif 000012
【図５】
2011008796.tif 000013
【図６】
2011008796.tif 000014
【図７】
2011008796.tif 000015
【図８】
2011008796.tif 000016